(57)【要約】  本発明は、移動端末と、前記移動端末が接続するセルを管理する基地局と、を備える無線通信システムに適用される。本発明の無線通信システムは、前記移動端末が接続するセルに隣接する隣接セルの中から、新たに運用を開始、再開、または地理的範囲を変更した新規セルを検出する新規セル検出部と、前記移動端末のハンドオーバ先の候補となる隣接セルを登録した隣接セルリストに、前記新規セル検出部によって検出された新規セルを優先的に登録する隣接セルリスト生成部と、を有する。
2012032886.tif 000002
【特許請求の範囲】
【請求項１】
移動端末と、前記移動端末が接続するセルを管理する基地局と、を備える無線通信システムであって、
前記移動端末が接続するセルに隣接する隣接セルの中から、新たに運用を開始、再開、または地理的範囲を変更した新規セルを検出する新規セル検出部と、
前記移動端末のハンドオーバ先の候補となる隣接セルを登録した隣接セルリストに、前記新規セル検出部によって検出された新規セルを優先的に登録する隣接セルリスト生成部と、を有する無線通信システム。
【請求項２】
セルの運用状態を管理するネットワーク管理システムをさらに有し、
前記新規セル検出部は、前記ネットワーク管理システムから、新規セルの情報を取得する、請求項１記載の無線通信システム。
【請求項３】
前記移動端末は、自端末が接続するセルおよび前記隣接セルの無線品質を測定し、自端末が接続するセルおよび当該隣接セルの無線品質の測定情報が所定の条件を満たす場合に、当該隣接セルの無線品質の測定情報を前記基地局に報告し、
前記新規セル検出部は、前記移動端末から報告された隣接セルごとの無線品質の測定情報の報告数に基づき、前記新規セルを検出する、請求項１記載の無線通信システム。
【請求項４】
前記隣接セルリスト生成部は、前記新規セル検出部によって前記隣接セルリストに未登録の新規セルが検出された場合、前記移動端末から報告された無線品質の測定情報の報告数が多い順に、前記新規セルを隣接セルリストに優先的に登録する、請求項３に記載の無線通信システム。
【請求項５】
前記隣接セルリスト生成部は、
前記新規セル検出部によって前記隣接セルリストに未登録の新規セルが検出された場合、前記新規セルごとに、前記移動端末から報告された無線品質の測定情報の報告数の時間増加率を算出し、
前記時間増加率が多い順に、前記新規セルを隣接セルリストに優先的に登録する、請求項３に記載の無線通信システム。
【請求項６】
前記基地局は、パイロット信号を送信し、
前記移動端末は、セルの無線品質として、当該セルを管理する基地局から送信されたパイロット信号の受信電力または信号対干渉波比の少なくとも１つを測定する、請求項３から５のいずれか１項に記載の無線通信システム。
【請求項７】
基地局が管理するセルに接続する移動端末のハンドオーバ先の候補となる隣接セルを登録した隣接セルリストを更新する隣接セルリスト最適化システムであって、
前記移動端末が接続するセルに隣接する隣接セルの中から、新たに運用を開始、再開、または地理的範囲を拡大した新規セルを検出する新規セル検出部と、
前記隣接セルリストに、前記新規セル検出部によって検出された新規セルを優先的に登録する隣接セルリスト生成部と、を有する隣接セルリスト最適化システム。
【請求項８】
移動端末が接続するセルを管理する基地局であって、
前記移動端末が接続するセルに隣接する隣接セルの中から、新たに運用を開始、再開、または地理的範囲を拡大した新規セルを検出する新規セル検出部と、
前記移動端末のハンドオーバ先の候補となる隣接セルを登録した隣接セルリストに、前記新規セル検出部によって検出された新規セルを優先的に登録する隣接セルリスト生成部と、を有する基地局。
【請求項９】
基地局が管理するセルに接続する移動端末のハンドオーバ先の候補となる隣接セルを登録した隣接セルリストを更新する隣接セルリスト最適化システムによる隣接セルリスト更新方法であって、
前記移動端末が接続するセルに隣接する隣接セルの中から、新たに運用を開始、再開、または地理的範囲を拡大した新規セルを検出する検出ステップと、
前記隣接セルリストに、前記検出された新規セルを優先的に登録する登録ステップと、を有する隣接セルリスト更新方法。
【請求項１０】
移動端末が接続するセルを管理する基地局による隣接セルリスト更新方法であって、
前記移動端末が接続するセルに隣接する隣接セルの中から、新たに運用を開始、再開、または地理的範囲を拡大した新規セルを検出する検出ステップと、
前記移動端末のハンドオーバ先の候補となる隣接セルを登録した隣接セルリストに、前記検出された新規セルを優先的に登録する登録ステップと、を有する隣接セルリスト更新方法。
【発明の詳細な説明】
【技術分野】
【０００１】
本発明は、隣接セルリストを更新する無線通信システム、隣接セルリスト最適化システム、基地局、および隣接セルリスト更新方法に関する。
【背景技術】
【０００２】
一般に、無線通信システムは、図１に示すように、移動端末１０と、無線基地局３０と、移動通信コア網５０と、ネットワーク管理システム９０と、を有している。【０００３】
無線基地局３０は、自局の周囲に移動端末１０との無線リンク２０が有効な範囲として無線セル３５が設けられ、この無線セル３５を管理する。【０００４】
移動端末１０は、無線基地局３０が管理する無線セル３５に接続し、無線基地局３０との間で、通信トラフィックや制御トラフィックなどのデータの送受信を行う。【０００５】
また、無線基地局３０は、有線リンク４０を介して接続された移動通信コア網５０との間でデータの送受信を行う。【０００６】
移動通信コア網５０は、不図示の交換局やサーバ装置を含み、無線基地局３０と有線リンク４０を介して接続されるとともに、外部網７０と有線リンク６０を介して接続され、無線基地局３０および外部網７０との間でデータの送受信を行う。【０００７】
ネットワーク管理システム９０は、有線リンク８０を介して無線基地局３０と接続されるとともに、有線リンク８１を介して移動通信コア網５０と接続され、無線通信システムの品質監視、故障監視、および構成管理などを行う。【０００８】
このような無線通信システムにおいては、サービスエリア全域において所要の無線品質を満たすために、無線基地局３０の無線パラメータを適切に設定することが求められる。無線パラメータの例としては、無線セル毎の総送信電力、無線基地局アンテナの垂直・水平面での傾き角、隣接セルリスト、ハンドオーバ閾値、などが代表的である。【０００９】
以下では、無線基地局３０には、無線パラメータとして、自局が管理する無線セルの隣接セルリストを設定するものとし、この隣接セルリストについて説明する。【００１０】
無線通信システムにおいては、無線セルをサービスエリア全域に面的に配置することで、サービスの提供が行われる。移動端末１０は、接続先の無線セルから他の無線セルに移動する際に、接続先の無線セルを切り替える、ハンドオーバと呼ばれる処理を行う。この処理は、次のようにして実現する。まず、移動端末１０に対し、接続先の無線セルおよびこれに隣接する無線セル（隣接セル）の無線品質を測定し、接続先の無線セルの無線品質が劣化したら、隣接セルの無線品質の測定情報を、接続先の無線セルを管理する無線基地局３０に報告するよう予め指示してく。そして、無線基地局３０は、移動端末１０からの報告があった時点でハンドオーバ先の無線セルを決定する。【００１１】
このとき、移動端末１０の負荷を軽減してハンドオーバを高速に処理するため、ハンドオーバ先の無線セルの候補を、一部の隣接セルのみに限定する方式が一般に用いられている。ここで、隣接セルのうち、移動端末１０のハンドオーバ先の候補となる無線セルを示したものが隣接セルリストである。隣接セルリストは、通信事業者により無線セルごとに生成され、その無線セルを管理する無線基地局３０から下り回線を介して移動端末１０に通知される。移動端末１０は、隣接セルのうち隣接セルリストに登録された無線セルの無線品質のみを測定し、無線基地局３０に報告すればよい。以下では、隣接セルのうち、隣接セルリストに登録されている無線セルをListed  Cellと称し、隣接セルリストに登録されていない無線セルをDetected  Cellと称する。【００１２】
ここで、移動端末１０が無線品質の測定情報の報告動作を行う動作条件として、非特許文献１に記載の数式（１）を用いる例について説明する。この例では、移動端末１０は、無線セルの無線品質として、その無線セルを管理する無線基地局３０から送信されたパイロット信号の受信電力を測定する。【００１３】
【数１】
2012032886.tif 000003
数式（１）において、Ｐｓは、接続先の無線セルを管理する無線基地局３０から送信されたパイロット信号の移動端末１０における受信電力である。Ｐｔは、隣接セルを管理する無線基地局（隣接基地局）３０から送信されたパイロット信号の移動端末１０における受信電力である。Ｏｓ，Ｏｔは、いずれも受信電力のオフセット値であり、Ｏｓは接続先の無線セルを管理する無線基地局３０から送信されたパイロット信号の受信電力に作用し、Ｏｔは隣接基地局３０から送信されたパイロット信号の受信電力に作用する。Ｏｔは隣接セルごとに異なる値を設定することができる。【００１４】
無線基地局３０は、数式（１）の動作条件が設定されると、自局が管理する無線セルに接続する移動端末１０に対して数式（１）の動作条件を通知する。【００１５】
移動端末１０は、接続先の無線セルを管理する無線基地局３０と、隣接基地局３０のうち隣接セルリストに登録されているListed  Cellを管理する隣接基地局３０と、からそれぞれ送信されたパイロット信号の受信電力が数式（１）の動作条件を満たすことをトリガとして、そのListed  Cellを管理する隣接基地局３０から送信されたパイロット信号の受信電力を、無線品質の測定情報として無線基地局３０に報告する。【００１６】
なお、移動端末１０において、数式（１）の動作条件を満たすことが、無線基地局３０に無線品質の測定情報を報告するトリガとなるため、以下では、数式（１）をトリガ条件と呼ぶことがある。さらに、数式（１）を数式（２）のように書き換えて、パラメータＴｈHOをハンドオーバの判定閾値（ハンドオーバ閾値）と呼ぶことがある。これは、数式（１）が、ハンドオーバの実行判定を行う際に接続先の無線セルの無線品質が劣化したことを移動端末１０から無線基地局３０に報告するトリガ条件として用いられるからである。【００１７】
【数２】
2012032886.tif 000004
移動端末１０は、接続先の無線セルおよびListed  Cellの無線品質の測定情報が上記の動作条件を満たす場合、そのListed  Cellの無線品質の測定情報を無線基地局３０に報告する。【００１８】
無線基地局３０は、通常、移動端末１０から報告を受けたListed  Cellの中からハンドオーバ先の無線セルを決定する。そのため、通常、移動端末１０は、隣接セルリストに登録されていないDetected  Cellにはハンドオーバできない。【００１９】
したがって、隣接セルリストに無線セルの登録漏れがあると、適切な無線セルへハンドオーバできずに途中で異常切断が生じたり、不適切な無線セルへハンドオーバしたために無線品質が劣化したりするおそれがある。そのため、登録漏れのない隣接セルリストを如何に生成するかが、良好な無線品質を確保するうえで非常に重要となる。【００２０】
一方で、隣接セルリストの通知に要する回線の負荷ならびに無線品質の測定・報告に要する移動端末１０の負荷を抑えるために、通常、隣接セルリストに登録される無線セル数には上限（ＬMax）が設けられている。したがって、無線品質の向上に寄与する可能性が高い無線セルが隣接セルリストに登録されるように、そのような無線セルから優先的に隣接セルリストに登録する必要がある。【００２１】
しかし、一般に、隣接セルリストの設定には高度な技術を要し、通常は、無線通信システムのサービスエリアにおける走行試験の結果などに基づき、隣接セルリストの更新（最適化）が行われている。ところが、近年、無線通信システムの運用中に自律的に隣接セルリストを更新する隣接セルリスト最適化システムが検討されている。【００２２】
図２は、隣接セルリスト最適化システムを備えた無線通信システムの構成の一例を示す図である。【００２３】
図２に示す無線通信システムは、移動端末１０と、無線基地局３０と、移動通信コア網５０と、ネットワーク管理システム９０と、隣接セルリスト最適化システム９５と、を有している。なお、図２において、図１と同様の構成については同じ符号を付して説明を省略する。【００２４】
隣接セルリスト最適化システム９５は、有線リンク８２を介してネットワーク管理システム９０と接続され、無線基地局３０に設定された無線セル３５の隣接セルリストの更新を行う。【００２５】
非特許文献２には、隣接セルリスト最適化システムによる隣接セルリストの更新方法が記載されている。【００２６】
図３は、非特許文献２に記載の隣接セルリストの更新方法を説明する図である。なお、非特許文献２においては、移動端末は、無線セルの無線品質として、その無線セルを管理する無線基地局から送信されたパイロット信号の受信電力を測定する。また、移動端末は、隣接セルとして、Listed  CellおよびDetected  Cellの両方の測定を行い、隣接セルを管理する無線基地局から送信されたパイロット信号の受信電力が閾値以上である場合に、その受信電力を当該隣接セルの無線品質の測定情報として無線基地局に報告する。【００２７】
図３に示すように、非特許文献２に記載の隣接セルリストの更新方法では、隣接セルリストに登録されたListed  Cellごとに、そのListed  Cellへのハンドオーバの試行数（ａ）が集計される。また、Detected  Cellごとに、そのDetected  Cellを管理する無線基地局から送信されたパイロット信号の受信電力が閾値以上であると移動端末から報告を受けた回数である報告数（ｎ）が集計される。そして、ハンドオーバ試行数（ａ）が閾値（ＴｈDel）以下であるListed  Cellが、隣接セルリストから削除されるとともに、報告数（ｎ）が閾値（ＴｈAdd）以上であるDetected  Cellが、報告数（ｎ）が大きい無線セルから順に隣接セルリストに登録される。これにより、隣接セルリストが更新される。
【先行技術文献】
【非特許文献】
【００２８】
【非特許文献１】3GPP  TS  36.331  v8.4.0,  pp.  66,  2008.
【非特許文献２】D.  Soldani,  I.  Ore,  “Self-optimizing  Neighbor  Cell  List  for  UTRA  FDD  Networks  Using  Detected  Set  Reporting”,  pp.694-pp.698,  IEEE  VTC2007.
【発明の概要】
【発明が解決しようとする課題】
【００２９】
しかしながら、非特許文献２に記載の隣接セルリストの更新方法には、以下のような課題がある。【００３０】
例えば、建物の建設・撤去による無線セルの地理的範囲の変更や、無線基地局の新設、一時的に停止していた無線基地局の再開動作等により、新たな無線セル（新規セル）が隣接セルとして途中で出現する場合がある。しかし、この場合、新規セルの出現からの経過期間が短い間は、移動端末からの報告数（ｎ）、ハンドオーバ試行数（ａ）は、既存の無線セル（既存セル）よりも新規セルの方が少ない。そのため、隣接セルリストに新規セルを迅速に追加するのが難しいという課題がある。【００３１】
そこで、例えば、隣接セルリストに登録可能な無線セル数の上限を超える既存セルの測定情報が移動端末から報告される環境では、非特許文献２に記載の閾値（ＴｈAdd）を下げて新規セルを追加されやすくすることが考えられる。しかし、この場合、隣接セルリストには、登録可能な無線セル数の上限があることから、新規セルを登録する余地がないため、新規セルを追加するのが難しい。【００３２】
また、既存セルと新規セルとの間で、報告数（ｎ）、ハンドオーバ試行数（ａ）の集計値が極端に開かないように、既存セルの報告数（ｎ）、ハンドオーバ試行数（ａ）の集計期間を短くすることが考えられる。しかし、この場合、標本数の不足に起因して集計値の信頼性が低下し、重要な既存セルを削除したり、不要な既存セルを追加したりするなど、隣接セルリストの信頼性の低下が引き起こされるという別の問題が生じてしまう。【００３３】
そこで、本発明の目的は、上記の課題を解決する無線通信システム、隣接セルリスト最適化システム、基地局、および隣接セルリスト最適化方法を提供することにある。
【課題を解決するための手段】
【００３４】
本発明の無線通信システムは、
移動端末と、前記移動端末が接続するセルを管理する基地局と、を備える無線通信システムであって、
前記移動端末が接続するセルに隣接する隣接セルの中から、新たに運用を開始、再開、または地理的範囲を変更した新規セルを検出する新規セル検出部と、
前記移動端末のハンドオーバ先の候補となる隣接セルを登録した隣接セルリストに、前記新規セル検出部によって検出された新規セルを優先的に登録する隣接セルリスト生成部と、を有する。【００３５】
本発明の隣接セルリスト最適化システムは、
基地局が管理するセルに接続する移動端末のハンドオーバ先の候補となる隣接セルを登録した隣接セルリストを更新する隣接セルリスト最適化システムであって、
前記移動端末が接続するセルに隣接する隣接セルの中から、新たに運用を開始、再開、または地理的範囲を拡大した新規セルを検出する新規セル検出部と、
前記隣接セルリストに、前記新規セル検出部によって検出された新規セルを優先的に登録する隣接セルリスト生成部と、を有する。【００３６】
本発明の基地局は、
移動端末が接続するセルを管理する基地局であって、
前記移動端末が接続するセルに隣接する隣接セルの中から、新たに運用を開始、再開、または地理的範囲を拡大した新規セルを検出する新規セル検出部と、
前記移動端末のハンドオーバ先の候補となる隣接セルを登録した隣接セルリストに、前記新規セル検出部によって検出された新規セルを優先的に登録する隣接セルリスト生成部と、を有する。【００３７】
本発明の第１の隣接セルリスト更新方法は、
基地局が管理するセルに接続する移動端末のハンドオーバ先の候補となる隣接セルを登録した隣接セルリストを更新する隣接セルリスト最適化システムによる隣接セルリスト更新方法であって、
前記移動端末が接続するセルに隣接する隣接セルの中から、新たに運用を開始、再開、または地理的範囲を拡大した新規セルを検出する検出ステップと、
前記隣接セルリストに、前記検出された新規セルを優先的に登録する登録ステップと、を有する。【００３８】
本発明の第２の隣接セルリスト更新方法は、
移動端末が接続するセルを管理する基地局による隣接セルリスト更新方法であって、
前記移動端末が接続するセルに隣接する隣接セルの中から、新たに運用を開始、再開、または地理的範囲を拡大した新規セルを検出する検出ステップと、
前記移動端末のハンドオーバ先の候補となる隣接セルを登録した隣接セルリストに、前記検出された新規セルを優先的に登録する登録ステップと、を有する。
【発明の効果】
【００３９】
本発明によれば、移動端末が接続するセルに隣接する隣接セルの中から、予め新規セルを検出しておき、新規セルが検出された場合には、その検出された新規セルを隣接セルリストへ優先的に登録する。【００４０】
従って、新規セルの出現からの経過時間が短い場合も、そのような新規セルを、隣接セルリストへ迅速に登録することができるという効果が得られる。
【図面の簡単な説明】
【００４１】
【図１】一般的な無線通信システムの構成の一例を示す図である。
【図２】隣接セルリスト最適化システムを備えた無線通信システムの構成の一例を示す図である。
【図３】非特許文献２に記載の隣接セルリスト更新方法を説明する図である。
【図４】本発明の第１の実施形態の隣接セルリスト最適化システムを備えた無線通信システムの構成の一例を示す図である。
【図５】本発明の第１の実施形態の隣接セルリスト最適化システムの動作を説明するフローチャートである。
【図６】本発明の第１の実施形態の測定情報記憶部に格納される隣接セルの管理テーブルの一例を示す図である。
【図７】本発明の第１の実施形態の新規セル検出部による新規セルの検出方法を説明するフローチャートである。
【図８】本発明の第１の実施形態の隣接セルリスト生成部による隣接セルの決定方法を説明するフローチャートである。
【図９】本発明の第１の実施形態の隣接セルリスト生成部が決定した隣接セルの一例を示す図である。
【図１０】本発明の第２の実施形態の隣接セルリスト生成部による隣接セルの決定方法を説明するフローチャートである。
【図１１】本発明の第２の実施形態の測定情報記憶部に格納される隣接セルの管理テーブルの一例を示す図である。
【図１２】本発明の第３の実施形態の隣接セルリスト最適化システムを備えた無線通信システムの構成の一例を示す図である。
【図１３】本発明の第３の実施形態の測定情報記憶部に格納される隣接セルの管理テーブルの一例を示す図である。
【図１４】本発明の第３の実施形態の新規セル検出部による新規セルの検出方法を説明するフローチャートである。
【発明を実施するための形態】
【００４２】
以下に、本発明を実施するための形態について図面を参照して説明する。なお、以下では、本発明の隣接セルリスト最適化システムは、図２に示す無線通信システムにおいて、隣接セルリスト最適化システム９５として組み込まれ、無線基地局３０に設定された無線セル３５の隣接セルリストを更新するものとして説明する。そのため、以降の図面において、図２と同様の構成については同じ符号を付して説明を省略する。
（１）第１の実施形態
（１−１）第１の実施形態の構成
図４は、本発明の第１の実施形態の隣接セルリスト最適化システム１００を備えた無線通信システムの構成の一例を示す図である。なお、図４は、図２の無線通信システムにおける隣接セルリスト最適化システム以外の構成要素のうち、移動端末１０、無線基地局３０、およびネットワーク管理システム９０のみを抜粋して図示している。
【００４３】
図４に示すように、本実施形態の隣接セルリスト最適化システム１００は、測定情報記憶部１０１と、測定情報収集部１０２と、新規セル検出部１０３と、隣接セルリスト生成部１０４と、を有し、ネットワーク管理システム９０と接続されている。
【００４４】
なお、図４においては、隣接セルリストの最適化（更新）対象の無線セル（最適化対象セル）３５Ａの隣接セルとして、既存セル３５Ｂおよび新規セル３５Ｃが存在する。ここで、最適化対象セル３５Ａは、無線基地局３０Ａにより管理され、移動端末１０Ａが接続されている。また、既存セル３５Ｂは、無線基地局３０Ｂにより管理され、移動端末１０Ｂが接続されている。また、新規セル３５Ｃは、無線基地局３０Ｃにより管理され、移動端末１０Ｃが接続されている。また、以下では、無線基地局３０Ａ〜３０Ｃは、どの無線基地局であるかを特定しないときは無線基地局３０と称し、また、移動端末１０Ａ〜１０Ｃは、どの移動端末であるかを特定しないときは移動端末１０と称す。
【００４５】
移動端末１０Ａは、最適化対象セル３５Ａの無線品質および隣接セル（既存セル３５Ｂおよび新規セル３５）の無線品質を測定し、最適化対象セル３５Ａおよび隣接セルの無線品質の測定情報が所定の動作条件を満たす場合、当該隣接セルの無線品質の測定情報を、最適化対象セル３５Ａを管理する無線基地局３０Ａに報告する。なお、移動端末１０Ａが無線品質を測定する隣接セルには、Listed  CellおよびDetected  Cellの両方が含まれる。また、無線品質の具体例としては、無線基地局３０Ａ，３０Ｂ，３０Ｃから送信されたパイロット信号の受信電力、信号対干渉波比などがある。
【００４６】
測定情報記憶部１０１は、最適化対象セル３５Ａに接続する移動端末１０Ａから無線基地局３０Ａに報告された隣接セルの無線品質の測定情報等が格納される領域である。
【００４７】
測定情報収集部１０２は、最適化対象セル３５Ａに接続する移動端末１０Ａから無線基地局３０Ａに報告された隣接セルの無線品質の測定情報を収集し、収集した測定情報を測定情報記憶部１０１に格納する。また、測定情報収集部１０２は、移動端末１０Ａから無線基地局３０Ａに無線品質の測定情報が報告された隣接セルごとに、測定情報の報告を受けた回数である報告数を集計し、集計した報告数を当該隣接セルの識別情報と対応付けて測定情報記憶部１０１に格納する。なお、無線基地局３０Ａには、移動端末１０Ａが無線品質の測定情報を無線基地局３０Ａへ報告する報告動作を行う動作条件を予め設定し、移動端末１０Ａには、その動作条件を無線基地局３０Ａから下り回線を介して予め通知しておく。
【００４８】
新規セル検出部１０３は、移動端末１０Ａから無線基地局３０Ａに無線品質の測定情報が報告された隣接セルの識別情報を測定情報記憶部１０１から取得し、取得した識別情報を基に、当該隣接セルの運用開始時刻をネットワーク管理システム９０の基地局管理部１０５から取得し、取得した運用開始時刻に基づき、隣接セルの中から新規セルを検出する。このとき、新規セル検出部１０３は、新規セルとして検出されなかった他の隣接セルを既存セルと判断し、隣接セルの新規セルまたは既存セルのセル種別を、当該隣接セルの識別情報および報告数と対応付けて測定情報記憶部１０１に格納する。
【００４９】
隣接セルリスト生成部１０４は、隣接セルごとの測定情報の報告数およびセル種別を測定情報記憶部１０１から取得する。そして、隣接セルリスト生成部１０４は、これらの情報に基づき、最適化対象セル３５Ａの隣接セルリストに登録する隣接セルを決定し、決定した隣接セルを登録することで隣接セルリストを更新し、更新後の隣接セルリストをネットワーク管理システム９０の基地局管理部１０５に通知する。
【００５０】
なお、隣接セルリストの初期値としては、例えば、最適化対象セル３５Ａを管理する無線基地局３０Ａと他の無線基地局３０Ｂ，３０Ｃとの距離を評価し、距離が近い順に無線基地局３０を抽出し、抽出した無線基地局３０が管理する無線セルを登録したリストとしても構わない。あるいは、空の隣接セルリストであっても構わない。
（１−２）第１の実施形態の動作
次に、隣接セルリスト最適化システム１００の動作について説明する。図５は、隣接セルリスト最適化システム１００の動作を説明するフローチャートである。
【００５１】
図５に示すように、まず、測定情報収集部１０２は、隣接セルリスト最適化システム１００の配下にある全ての無線基地局３０に対して、移動端末１０に隣接セルの無線品質の測定情報の報告動作をさせるための動作条件を設定する。無線基地局３０に設定された動作条件は、下り回線を介して移動端末１０に通知される。移動端末１０は、自端末が接続する無線セルおよび隣接セルの無線品質を測定し、これらの測定情報が上記の動作条件を満たす場合、当該隣接セルの無線品質の測定情報を無線基地局３０に報告する。
【００５２】
次に、測定情報収集部１０２は、移動端末１０が上記の動作条件に従って無線基地局３０に報告した隣接セルの無線品質の測定情報を収集し、収集した測定情報を測定情報記憶部１０１に格納する。また、測定情報収集部１０２は、隣接セルごとに、測定情報の報告数を集計し、その集計結果（MX）を測定情報記憶部１０１に格納する（ステップＳ１０１）。なお、上記の動作条件については、本フローチャートの説明の末尾で後述する。
【００５３】
次に、測定情報収集部１０２は、最適化対象セルXを選択する（ステップＳ１０２）。
【００５４】
ステップＳ１０２においては、例えば、隣接セルリスト最適化システム１００の配下にある全ての無線基地局３０を、逐次、最適化対象セルとして選択する。あるいは、新たに設置した無線基地局３０が管理する新規セル、および、当該新規セルから一定の距離範囲にある無線基地局３０が管理する既存セルを、最適化対象セルとして選択しても構わない。あるいは、ハンドオーバの失敗率が閾値以上である無線セルを無線品質が劣化した無線セルとして検出し、そのような無線セルを最適化対象セルとして選択しても構わない。
【００５５】
次に、新規セル検出部１０３は、測定情報記憶部１０１にアクセスし、ステップＳ１０２で選択された最適化対象セルXに接続する移動端末１０からの報告数の集計結果（MX）を参照し（ステップＳ１０３）、集計結果（MX）に含まれる隣接セルの中から新規セルを検出する。このとき、新規セル検出部１０３は、新規セルとして検出されなかった他の隣接セルを既存セルと判断し、隣接セルの新規セルまたは既存セルのセル種別を、当該隣接セルの集計結果（MX）と対応付けて測定情報記憶部１０１に格納する（ステップＳ１０４）。新規セルの検出方法の詳細については、図７を用いて後述する。
【００５６】
図６は、本実施形態において測定情報記憶部１０１に格納されている、最適化対象セルXの隣接セルの管理テーブルの一例を示す図である。
【００５７】
図６に示すように、管理テーブルには、最適化対象セルXに接続する移動端末１０から無線基地局３０に無線品質の測定情報が報告された隣接セルごとに、測定情報の報告数（nX）と、新規セルまたは既存セルのセル種別と、が対応付けて記録されている。なお、報告数（nX）には、ステップＳ１０１で集計された報告数が格納され、セル種別には、ステップＳ１０４で判断されたセル種別が格納される。
【００５８】
隣接セルリスト生成部１０４は、図６の管理テーブルで管理する隣接セルの中から、最大（NCLmax）個の隣接セルを、隣接セルリストに登録する隣接セルに決定する（ステップＳ１０５）。なお、NCLmaxは、隣接セルリストに登録可能な最大の無線セル数（Ｌmax）を超えない範囲の値に設定する。隣接セルリストに登録する隣接セルの決定方法の詳細については、図８を用いて後述する。
【００５９】
その後、隣接セルリスト生成部１０４は、最適化対象セルXの隣接セルリストを、ステップＳ１０５で決定された隣接セルを登録することで更新し、最適化対象セルXを管理する無線基地局３０を管理しているネットワーク管理システム９０の基地局管理部１０５に、更新後の隣接セルリストを通知する。基地局管理部１０５は、最適化対象セルXの隣接セルリストを通知された内容に更新し（ステップＳ１０６）、処理を終了する。
【００６０】
次に、図５のステップＳ１０１で通知する動作条件について説明する。本実施形態では、動作条件として、非特許文献１に記載の数式（１）を用いる例について説明する。
【００６１】
数式（１）の動作条件をトリガ条件としてハンドオーバの実行判定に用いる場合、通常、移動端末１０は、隣接セルリストに登録されたListed  Cellのみ無線品質を測定する。
【００６２】
これに対して、本実施形態においては、測定情報収集部１０２は、移動端末１０に対して、Listed  CellおよびDetected  Cellの無線品質の測定を要求する。
【００６３】
また、本実施形態においては、測定情報収集部１０２は、最適化対象セルに接続する全ての移動端末１０に対して、無線品質の測定を要求する例を示している。しかし、最適化対象セルに接続する移動端末１０の中から一定の割合で無作為に抽出した移動端末１０にのみ測定を要求するなど、最適化対象セルに接続する移動端末１０の一部に測定を要求するようにしても構わない。
【００６４】
また、本実施形態においては、同一の移動端末１０にListed  CellおよびDetected  Cell両方の無線品質の測定を要求する例を示している。しかし、Listed  Cellの無線品質の測定を要求した移動端末１０のうちの一部の移動端末１０にのみ、Detected  Cellの無線品質の測定も要求するなど、特定の移動端末がListed  Cellの無線品質のみを測定するようにしても構わない。
【００６５】
また、本実施形態においては、無線品質として無線基地局３０から送信されたパイロット信号の受信電力を測定する例を示しているが、信号対干渉波比などの他の無線品質の指標を測定するようにしても構わない。また、無線品質として、パイロット信号の受信電力や信号対干渉波比などを少なくとも１つ測定すればよい。
【００６６】
また、本実施形態においては、動作条件として数式（１）のトリガ条件を用いた例を示しているが、例えば、Ｐｔが閾値以上である場合や、隣接基地局３０から送信されたパイロット信号の信号対干渉波比が所定の閾値以上である場合に、移動端末１０に報告を行わせるなど、他の条件を用いても構わない。
【００６７】
次に、図５のステップＳ１０４における、新規セル検出部１０３による新規セルの検出方法について説明する。図７は、新規セルの検出方法を説明するフローチャートである。
【００６８】
図７に示すように、新規セル検出部１０３は、移動端末１０から無線基地局３０に無線品質の測定情報が報告された隣接セル（Y）ごとに、当該隣接セルの運用開始時刻（tY）をネットワーク管理システム９０の基地局管理部１０５から取得し（ステップＳ２０１）、さらに、新規セルを検出している時点の現在時刻（t）を隣接セルリスト最適化システム１００の内部時計（不図示）から取得し（ステップＳ２０２）、隣接セル（Y）が運用開始から一定期間（T0）の範囲内にあるか否かを判定する（ステップＳ２０３）。
【００６９】
新規セル検出部１０３は、ステップＳ２０３において、隣接セル（Y）が運用開始から一定期間（T0）の範囲内にある場合は、隣接セル（Y）を新規セルと判定し（ステップＳ２０４）、その他の場合は、隣接セル（Y）を既存セルと判定する（ステップＳ２０５）。
【００７０】
なお、新規セルの検出方法としては、上述のように、隣接セルの運用開始時刻をネットワーク管理システム９０から取得する方法以外に、ネットワーク管理システム９０から、新たに運用を開始または再開した隣接セルや、地理的範囲を変更した隣接セルの識別情報の通知を受け、通知を受けた隣接セルを新規セルと判定しても構わない。
【００７１】
また、ネットワーク管理システム９０から、隣接セルの運用開始時刻を取得できない場合には、移動端末１０から当該隣接セルの測定情報が無線基地局３０に最初に報告された時刻を、運用開始時刻として代用し、新規セルを検出しても構わない。
【００７２】
次に、図５のステップＳ１０５における、隣接セルリスト生成部１０４による隣接セルの決定方法について説明する。図８は、隣接セルの決定方法を説明するフローチャートである。
【００７３】
図８に示すように、隣接セルリスト生成部１０４は、最初に、隣接セルの集合(Ｓ1)、(Ｓ2)、(Ｓ3)を空集合に初期化する（ステップＳ３００）。
【００７４】
次に、隣接セルリスト生成部１０４は、図６の管理テーブルで管理する隣接セルの中から、報告数（nX）が大きな順に最大（NCLmax  -  NCLImm）個の隣接セルを抽出し、集合（Ｓ1）に格納する（ステップＳ３０１）。ここで、NCLImmは、優先登録する新規セルの最大数であり、0からNCLmaxの範囲の値に設定される。
【００７５】
次に、隣接セルリスト生成部１０４は、図６の管理テーブルで管理する隣接セルの総数（Ｍ）の大きさと、（NCLmax  -  NCLImm）の大きさと、を比較し（ステップＳ３０２）、（NCLmax  -  NCLImm）が総数（Ｍ）以上である場合は、集合（Ｓ1）に含まれる隣接セルを隣接セルリストに登録すると決定し（ステップＳ３０６）、処理を終了する。
【００７６】
一方、ステップＳ３０２において、（NCLmax  -  NCLImm）が総数（Ｍ）より小さい場合は、隣接セルリスト生成部１０４は、図６の管理テーブルで管理する隣接セルのうち、集合（Ｓ1）に含まれない新規セルを、報告数（nX）が大きな順に最大（NCLImm）個抽出し、集合（Ｓ2）に格納する（ステップＳ３０３）。
【００７７】
次に、隣接セルリスト生成部１０４は、集合（Ｓ2）に含まれるセル数Ｎ2の大きさと、NCLImmの大きさと、を比較し（ステップＳ３０４）、セル数Ｎ2がNCLImm以上である場合は、集合（Ｓ1+Ｓ2）に含まれる隣接セルを隣接セルリストに登録すると決定し（ステップＳ３０６）、処理を終了する。
【００７８】
一方、ステップＳ３０４において、セル数Ｎ2がNCLImmより小さい場合は、隣接セルリスト生成部１０４は、図６の管理テーブルで管理する隣接セルのうち、集合（Ｓ1+Ｓ2）に含まれないセルを、報告数（nX）が大きな順に最大（NCLImm  -Ｎ2）個抽出し、集合（Ｓ3）に格納する（ステップＳ３０５）。
【００７９】
その後、隣接セルリスト生成部１０４は、集合（Ｓ1+Ｓ2+Ｓ3）に含まれる隣接セルを隣接セルリストに登録すると決定し（ステップＳ３０６）、処理を終了する。
【００８０】
図９は、図８の隣接セルの決定方法に従って決定した隣接セルの一例を示す図である。なお、図９においては、理解を容易にするため、管理テーブルの隣接セルは、報告数（nX）の降順に整列している。
【００８１】
図９の例では、まず、隣接セル＃１〜＃２４が集合（Ｓ1）に格納され、次に、隣接セル＃３２，＃４５，＃４６が集合（Ｓ2）に格納され、その後、隣接セル＃２５〜＃２９が集合（Ｓ3）に格納される。そして、集合（Ｓ1+Ｓ2+Ｓ3）に含まれる隣接セルが、隣接セルリストに登録されることになる。
（１−３）第１の実施形態の効果
このように、本実施形態によれば、隣接セルリスト最適化システム１００は、最適化対象セルXに接続する移動端末１０が無線基地局３０に無線品質の測定情報を報告した隣接セルの中から、新規セルを検出し、移動端末１０からの報告数が多い順に新規セルを抽出し、抽出した新規セルを最適化対象セルXの隣接セルリストに優先的に登録する。
【００８２】
そのため、新規セルの出現からの経過時間が短いために、他の既存セルに比べて移動端末１０からの報告数が少ない場合も、そのような新規セルを最適化対象セルXの隣接セルリストへ迅速に登録できる。
（２）第２の実施形態
（２−１）第２の実施形態の構成
本実施形態の隣接セルリスト最適化システム２００は、第１の実施形態と比較して、隣接セルリスト生成部１０４において、新規セルごとに報告数（nX）の時間増加率（rX）を算出し、時間増加率（rX）が大きな順に新規セルを隣接セルリストに登録するようにした点が異なる。
【００８３】
なお、本実施形態の隣接セルリスト最適化システム２００を含む無線通信システムの全体構成自体は、第１の実施形態と同様である。
（２−２）第２の実施形態の動作
図１０は、本実施形態の隣接セルリスト最適化システム２００の隣接セルリスト生成部１０４における隣接セルの決定方法を説明するフローチャートである。なお、図１０において、図８と同様の処理については同じ符号を付し、詳細な説明を省略する。
【００８４】
図１０に示すように、隣接セルリスト生成部１０４は、最初に、図８と同様のステップＳ３００からＳ３０２までの処理を行う。
【００８５】
ステップＳ３０２において、（NCLmax  -  NCLImm）が総数（Ｍ）より小さい場合は、隣接セルリスト生成部１０４は、集合（Ｓ1）に含まれない新規セル（Ｙ）ごとに、新規セル（Ｙ）の運用開始時刻（tY）から現在時刻（t）の間の報告数（nXＹ）の時間増加率（rXＹ）を算出する（ステップＳ４０１）。
【００８６】
時間増加率（rXＹ）は、例えば、数式（３）を用いて算出することができる。
【００８７】
【数３】
2012032886.tif 000005
次に、隣接セルリスト生成部１０４は、集合（Ｓ1）に含まれない新規セルを、時間増加率（rX）が大きな順に最大（NCLImm）個抽出し、集合（Ｓ2）に格納する（ステップＳ４０２）。
【００８８】
図１１は、本実施形態において測定情報記憶部１０１に格納されている、最適化対象セルXの隣接セルの管理テーブルの一例を示す図である。
【００８９】
図１１に示すように、本実施形態の管理テーブルは、図６に示した第１の実施形態の管理テーブルと比較して、新規セルについては、報告数（nXＹ）の時間増加率（rX）も記録されるようにした点が異なる。
【００９０】
以降、隣接セルリスト生成部１０４は、図８と同様のステップＳ３０４からＳ３０６までの処理を行う。
（２−３）第２の実施形態の効果
このように、本実施形態によれば、隣接セルリスト最適化システム２００は、運用開始時刻からの報告数の時間増加率が大きい順に新規セルを抽出し、抽出した新規セルを最適化対象セルXの隣接セルリストに優先登録する。
【００９１】
第１の実施形態においては、運用開始時刻が異なる複数の新規セルが検出された場合に、運用開始からの経過時間が短く報告数が少ない新規セルは、他の新規セルに比べて最適化対象セルXの隣接セルリストに優先登録されにくかった。
【００９２】
これに対し、本実施形態によれば、報告数を運用開始からの経過時間で正規化しているため、新規セルの優先登録の可否をより公平に判断できる。
（３）第３の実施形態
（３−１）第３の実施形態の構成
図１２は、本発明の第３の実施形態の隣接セルリスト最適化システム３００を備えた無線通信システムの構成の一例を示す図である。なお、図１２において、図４と同様の構成要素については同じ符号を付し、説明を省略する。
【００９３】
図１２に示すように、本実施形態の無線通信システムにおいては、第１および第２の実施形態と比較して、既存セル３５Ｂおよび新規セル３５Ｃは、最適化対象セル３５Ａを管理するネットワーク管理システム９０Ａとは異なるネットワーク管理システム９０Ｂにより管理される点が異なる。なお、隣接セルリスト最適化システム３００は、ネットワーク管理システム９０Ａに接続し、ネットワーク管理システム９０Ｂには接続しない。
【００９４】
また、本実施形態の隣接セルリスト最適化システム３００は、第１および第２の実施形態と比較して、移動端末１０からの報告を短い期間で集計する仕組みを新たに備え、短期間で集計した報告数（n’X）に基づき、ネットワーク管理システム９０を介さずに新規セルを検出できるようにした点が異なる。このため、隣接セルリスト最適化システム３００の新規セル検出部１０３は、ネットワーク管理システム９０Ａから隣接セルの運用開始時刻を取得するインタフェイスを備えなくてもよい。
（３−２）第３の実施形態の動作
次に、本実施形態の隣接セルリスト最適化システム３００の動作について、図５のフローチャートを参照しながら説明する。
【００９５】
本実施形態においては、まず、図５のステップＳ１０１において、測定情報収集部１０２は、移動端末１０が無線基地局３０に報告した隣接セルの測定情報を収集し、隣接セルごとの測定情報の報告数を集計し、その集計結果を測定情報記憶部１０１に格納する。このとき、測定情報収集部１０２は、第１および第２の実施形態と同じ集計期間で集計した報告数（nX）とともに、より短い集計期間で集計した報告数（n’X）も、集計結果として測定情報記憶部１０１に格納する。
【００９６】
図１３は、本実施形態において測定情報記憶部１０１に格納されている、最適化対象セルXの隣接セルの管理テーブルの一例を示す図である。
【００９７】
図１３に示すように、本実施形態の管理テーブルは、図６に示した第１の実施形態の管理テーブルと比較して、隣接セルごとに、長期間で集計した報告数（nX）とともに、短期間で集計した報告数（n’X）も記録されるようにした点が異なる。この報告数（n’X）は、最新の集計結果が記録されるように、周期的に更新する。
【００９８】
次に、第１および第２の実施形態と同様に、図５のステップＳ１０２，Ｓ１０３の処理が行われる。
【００９９】
次に、図５のステップＳ１０４において、新規セル検出部１０３は、短期間で集計した報告数（n’X）に基づき、図１３の管理テーブルで管理する隣接セルから新規セルを検出する。
【０１００】
図１４は、本実施形態の隣接セルリスト最適化システム３００の新規セル検出部１０３による新規セルの検出方法を説明するフローチャートである。
【０１０１】
図１４に示すように、まず、新規セル検出部１０３は、測定情報記憶部１０１に格納された図１３の管理テーブルから、隣接セルごとの報告数（nX）を取得し（ステップＳ５０１）、報告数（nX）が大きな順に最大（NCLmax  -  NCLImm）個の隣接セルを抽出し、集合（Ｓ4）に格納する（ステップＳ５０２）。
【０１０２】
次に、新規セル検出部１０３は、図１３の管理テーブルで管理する隣接セルのうち、集合（Ｓ4）に含まれない隣接セルの短期間の報告数（n’X）を取得し（ステップＳ５０３）、報告数（n'X）が大きな順に最大（NCLImm）個の隣接セルを抽出して集合（Ｓ5）に格納する（ステップＳ５０４）。
【０１０３】
次に、新規セル検出部１０３は、図１３の管理テーブルで管理する隣接セルごとに、当該隣接セルが集合（Ｓ5）に含まれているか否かの判定を行う（ステップＳ５０５）。
【０１０４】
新規セル検出部１０３は、ステップＳ５０５において、隣接セルが集合（Ｓ5）に含まれている場合には、当該隣接セルを新規セルと判定し（ステップＳ５０６）、その他の場合は、当該隣接セルを既存セルと判定する（ステップＳ５０７）。
【０１０５】
なお、新規セルの検出方法としては、上述の方法以外に、短期間の報告数（n'X）が一定数以上である隣接セルを新規セルと判定する他の方法であっても構わない。
【０１０６】
例えば、運用中の隣接セルリストに含まれている隣接セルを集合（Ｓ4）に格納し、図１３の管理テーブルで管理する隣接セルのうち、報告数（n'X）が集合（Ｓ4）に含まれる隣接セルの最小値より大きな隣接セルを集合（Ｓ5）に格納し、集合（Ｓ5）に含まれている隣接セルを新規セルと判定し、その他の隣接セルを既存セルと判定する方法であっても構わない。
【０１０７】
次に、図５のステップＳ１０５において、隣接セルリスト生成部１０４は、第１または第２の実施形態と同様に、検出した新規セルを隣接セルリストに優先登録すると決定する。あるいは、短期間で集計した報告数（n’X）が多い順に新規セルを優先登録することにしても構わない。
【０１０８】
その後、第１および第２の実施形態と同様に、図５のステップＳ１０６の処理が行われる。
（３−３）第３の実施形態の効果
このように、本実施形態によれば、隣接セルリスト最適化システム３００は、移動端末からの報告を短い期間で集計する仕組みを新たに備え、短期間で集計した報告数（n’X）に基づき、ネットワーク管理システム９０を介さずに新規セルを検出する。
【０１０９】
第１および第２の実施形態においては、隣接セルリスト最適化システム３００が接続していないネットワーク管理システム９０が管理する隣接セルが、最適化対象セルに接続する移動端末１０から報告された場合には、報告された隣接セルから新規セルを検出することができなかった。
【０１１０】
これに対し、本実施形態によれば、ネットワーク管理システム９０を介さずに、移動端末１０からの測定情報の報告数に基づき、新規セルを検出しているため、このような場合であっても新規セルを検出できる。
（４）その他の実施形態
以上、実施形態を参照して本発明を説明したが、本発明は上記実施形態に限定されるものでない。本発明の構成や詳細には、本発明の範囲内で当業者が理解し得る様々な変更をすることができる。
【０１１１】
例えば、本発明は、図２に示す無線通信システムに限定されるものではなく、移動通信コア網５０と無線基地局３０との間に無線基地局制御装置を備える無線通信システムや、隣接セルリスト最適化システムの機能が、無線基地局制御装置、無線基地局３０、あるいはネットワーク管理システム９０の内部に組み込まれた無線通信システムにも適用することができる。さらには、隣接セルリスト最適化システムと無線基地局３０との間に無線基地局管理装置が備わる場合にも適用することができる。
【０１１２】
また、上述の第１から第３の実施形態においては、隣接セルリスト最適化システムが、移動端末１０により測定された無線品質の測定情報の集計結果を管理する例について説明したが、無線基地局制御装置、無線基地局３０、あるいはネットワーク管理システム９０の内部で管理しても構わない。また、移動端末１０が備えている無線品質の測定機能と同等の機能を無線基地局３０が備えている場合には、無線基地局３０が無線品質の測定を行っても構わない。
【０１１３】
また、上述の第１から第３の実施形態においては、無線通信システムは、無線基地局３０とは別に隣接セルリスト最適化システムを備え、無線基地局３０に設定される隣接セルリストを隣接セルリスト最適化システムが更新する例を説明したが、本発明はこれに限られるものではなく、無線基地局３０が自局に設定された隣接セルリストを更新することも可能である。測定情報は、無線基地局３０により収集または記憶が可能な情報である。そのため、無線基地局３０はこれらの測定情報に基づき、新規セルを検出し、自局に設定された隣接セルリストに新規セルを優先登録し、隣接セルリストを更新することができる。
【０１１４】
上記の実施形態の一部または全部は、以下の付記のようにも記載されうるが、以下には限られない。
（付記１）
移動端末と、前記移動端末が接続するセルを管理する基地局と、を備える無線通信システムであって、
前記移動端末が接続するセルに隣接する隣接セルの中から、新たに運用を開始、再開、または地理的範囲を変更した新規セルを検出する新規セル検出部と、
前記移動端末のハンドオーバ先の候補となる隣接セルを登録した隣接セルリストに、前記新規セル検出部によって検出された新規セルを優先的に登録する隣接セルリスト生成部と、を有する無線通信システム。
（付記２）
セルの運用状態を管理するネットワーク管理システムをさらに有し、
前記新規セル検出部は、前記ネットワーク管理システムから、新規セルの情報を取得する、付記１記載の無線通信システム。
（付記３）
前記移動端末は、自端末が接続するセルおよび前記隣接セルの無線品質を測定し、自端末が接続するセルおよび当該隣接セルの無線品質の測定情報が所定の条件を満たす場合に、当該隣接セルの無線品質の測定情報を前記基地局に報告し、
前記新規セル検出部は、前記移動端末から報告された隣接セルごとの無線品質の測定情報の報告数に基づき、前記新規セルを検出する、付記１記載の無線通信システム。
（付記４）
前記隣接セルリスト生成部は、前記新規セル検出部によって前記隣接セルリストに未登録の新規セルが検出された場合、前記移動端末から報告された無線品質の測定情報の報告数が多い順に、前記新規セルを隣接セルリストに優先的に登録する、付記３に記載の無線通信システム。
（付記５）
前記隣接セルリスト生成部は、
前記新規セル検出部によって前記隣接セルリストに未登録の新規セルが検出された場合、前記新規セルごとに、前記移動端末から報告された無線品質の測定情報の報告数の時間増加率を算出し、
前記時間増加率が多い順に、前記新規セルを隣接セルリストに優先的に登録する、付記３に記載の無線通信システム。
（付記６）
前記基地局は、パイロット信号を送信し、
前記移動端末は、セルの無線品質として、当該セルを管理する基地局から送信されたパイロット信号の受信電力または信号対干渉波比の少なくとも１つを測定する、付記３から５のいずれか１項に記載の無線通信システム。
（付記７）
基地局が管理するセルに接続する移動端末のハンドオーバ先の候補となる隣接セルを登録した隣接セルリストを更新する隣接セルリスト最適化システムであって、
前記移動端末が接続するセルに隣接する隣接セルの中から、新たに運用を開始、再開、または地理的範囲を拡大した新規セルを検出する新規セル検出部と、
前記隣接セルリストに、前記新規セル検出部によって検出された新規セルを優先的に登録する隣接セルリスト生成部と、を有する隣接セルリスト最適化システム。
（付記８）
前記新規セル検出部は、セルの運用状態を管理するネットワーク管理システムから、新規セルの情報を取得する、付記７記載の隣接セルリスト最適化システム。
（付記９）
前記移動端末が接続するセルおよび前記隣接セルの無線品質の測定情報が所定の条件を満たす場合に、前記移動端末から前記基地局に報告された当該隣接セルの無線品質の測定情報を収集する測定情報収集部をさらに有し、
前記新規セル検出部は、前記移動端末から報告された隣接セルごとの無線品質の測定情報の報告数に基づき、前記新規セルを検出する、付記７記載の隣接セルリスト最適化システム。
（付記１０）
前記隣接セルリスト生成部は、前記新規セル検出部によって前記隣接セルリストに未登録の新規セルが検出された場合、前記移動端末から報告された無線品質の測定情報の報告数が多い順に、前記新規セルを隣接セルリストに優先的に登録する、付記９に記載の隣接セルリスト最適化システム。
（付記１１）
前記隣接セルリスト生成部は、
前記新規セル検出部によって前記隣接セルリストに未登録の新規セルが検出された場合、前記新規セルごとに、前記移動端末から報告された無線品質の測定情報の報告数の時間増加率を算出し、
前記時間増加率が多い順に、前記新規セルを隣接セルリストに優先的に登録する、付記９に記載の隣接セルリスト最適化システム。
（付記１２）
前記測定情報収集部は、隣接セルの無線品質の測定情報として、当該隣接セルを管理する基地局から送信されたパイロット信号の前記移動端末における受信電力または信号対干渉波比の少なくとも１つを収集する、付記９から１１のいずれか１項に記載の隣接セルリスト最適化システム。
（付記１３）
移動端末が接続するセルを管理する基地局であって、
前記移動端末が接続するセルに隣接する隣接セルの中から、新たに運用を開始、再開、または地理的範囲を拡大した新規セルを検出する新規セル検出部と、
前記移動端末のハンドオーバ先の候補となる隣接セルを登録した隣接セルリストに、前記新規セル検出部によって検出された新規セルを優先的に登録する隣接セルリスト生成部と、を有する基地局。
（付記１４）
前記新規セル検出部は、セルの運用状態を管理するネットワーク管理システムから、新規セルの情報を取得する、付記１３記載の基地局。
（付記１５）
前記移動端末が接続するセルおよび前記隣接セルの無線品質の測定情報が所定の条件を満たす場合に、前記移動端末から前記基地局に報告された当該隣接セルの無線品質の測定情報を収集する測定情報収集部をさらに有し、
前記新規セル検出部は、前記移動端末から報告された隣接セルごとの無線品質の測定情報の報告数に基づき、前記新規セルを検出する、付記１３記載の基地局。
（付記１６）
前記隣接セルリスト生成部は、前記新規セル検出部によって前記隣接セルリストに未登録の新規セルが検出された場合、前記移動端末から報告された無線品質の測定情報の報告数が多い順に、前記新規セルを隣接セルリストに優先的に登録する、付記１５に記載の基地局。
（付記１７）
前記隣接セルリスト生成部は、
前記新規セル検出部によって前記隣接セルリストに未登録の新規セルが検出された場合、前記新規セルごとに、前記移動端末から報告された無線品質の測定情報の報告数の時間増加率を算出し、
前記時間増加率が多い順に、前記新規セルを隣接セルリストに優先的に登録する、付記１５に記載の基地局。
（付記１８）
前記測定情報収集部は、隣接セルの無線品質の測定情報として、当該隣接セルを管理する基地局から送信されたパイロット信号の前記移動端末における受信電力または信号対干渉波比の少なくとも１つを収集する、付記１５から１７のいずれか１項に記載の基地局。
（付記１９）
基地局が管理するセルに接続する移動端末のハンドオーバ先の候補となる隣接セルを登録した隣接セルリストを更新する隣接セルリスト最適化システムによる隣接セルリスト更新方法であって、
前記移動端末が接続するセルに隣接する隣接セルの中から、新たに運用を開始、再開、または地理的範囲を拡大した新規セルを検出する検出ステップと、
前記隣接セルリストに、前記検出された新規セルを優先的に登録する登録ステップと、を有する隣接セルリスト更新方法。
（付記２０）
前記検出ステップでは、セルの運用状態を管理するネットワーク管理システムから、新規セルの情報を取得する、付記１９記載の隣接セルリスト更新方法。
（付記２１）
前記移動端末が接続するセルおよび前記隣接セルの無線品質の測定情報が所定の条件を満たす場合に、前記移動端末から前記基地局に報告された当該隣接セルの無線品質の測定情報を収集する収集ステップをさらに有し、
前記検出ステップでは、前記移動端末から報告された隣接セルごとの無線品質の測定情報の報告数に基づき、前記新規セルを検出する、付記１９記載の隣接セルリスト更新方法。
（付記２２）
前記登録ステップでは、前記隣接セルリストに未登録の新規セルが検出された場合、前記移動端末から報告された無線品質の測定情報の報告数が多い順に、前記新規セルを隣接セルリストに優先的に登録する、付記２１に記載の隣接セルリスト更新方法。
（付記２３）
前記隣接セルリストに未登録の新規セルが検出された場合、前記新規セルごとに、前記移動端末から報告された無線品質の測定情報の報告数の時間増加率を算出する算出ステップをさらに有し、
前記登録ステップでは、前記時間増加率が多い順に、前記新規セルを隣接セルリストに優先的に登録する、付記２１に記載の隣接セルリスト更新方法。
（付記２４）
前記収集ステップでは、隣接セルの無線品質の測定情報として、当該隣接セルを管理する基地局から送信されたパイロット信号の前記移動端末における受信電力または信号対干渉波比の少なくとも１つを収集する、付記２１から２３のいずれか１項に記載の隣接セルリスト更新方法。
（付記２５）
移動端末が接続するセルを管理する基地局による隣接セルリスト更新方法であって、
前記移動端末が接続するセルに隣接する隣接セルの中から、新たに運用を開始、再開、または地理的範囲を拡大した新規セルを検出する検出ステップと、
前記移動端末のハンドオーバ先の候補となる隣接セルを登録した隣接セルリストに、前記検出された新規セルを優先的に登録する登録ステップと、を有する隣接セルリスト更新方法。
（付記２６）
前記検出ステップでは、セルの運用状態を管理するネットワーク管理システムから、新規セルの情報を取得する、付記２５記載の隣接セルリスト更新方法。
（付記２７）
前記移動端末が接続するセルおよび前記隣接セルの無線品質の測定情報が所定の条件を満たす場合に、前記移動端末から前記基地局に報告された当該隣接セルの無線品質の測定情報を収集する収集ステップをさらに有し、
前記検出ステップでは、前記移動端末から報告された隣接セルごとの無線品質の測定情報の報告数に基づき、前記新規セルを検出する、付記２５記載の隣接セルリスト更新方法。
（付記２８）
前記登録ステップでは、前記隣接セルリストに未登録の新規セルが検出された場合、前記移動端末から報告された無線品質の測定情報の報告数が多い順に、前記新規セルを隣接セルリストに優先的に登録する、付記２７に記載の隣接セルリスト更新方法。
（付記２９）
前記隣接セルリストに未登録の新規セルが検出された場合、前記新規セルごとに、前記移動端末から報告された無線品質の測定情報の報告数の時間増加率を算出する算出ステップをさらに有し、
前記登録ステップでは、前記時間増加率が多い順に、前記新規セルを隣接セルリストに優先的に登録する、付記２７に記載の隣接セルリスト更新方法。
（付記３０）
前記収集ステップでは、隣接セルの無線品質の測定情報として、当該隣接セルを管理する基地局から送信されたパイロット信号の前記移動端末における受信電力または信号対干渉波比の少なくとも１つを収集する、付記２７から２９のいずれか１項に記載の隣接セルリスト更新方法。
【産業上の利用可能性】
【０１１５】
本発明は、移動通信網におけるネットワーク管理システムにも利用可能である。【０１１６】
本出願は、２０１０年９月８日に出願された日本出願特願２０１０−２０１０１３を基礎とする優先権を主張し、その開示の全てをここに取り込む。
【図１】
2012032886.tif 000006
【図２】
2012032886.tif 000007
【図３】
2012032886.tif 000008
【図４】
2012032886.tif 000009
【図５】
2012032886.tif 000010
【図６】
2012032886.tif 000011
【図７】
2012032886.tif 000012
【図８】
2012032886.tif 000013
【図９】
2012032886.tif 000014
【図１０】
2012032886.tif 000015
【図１１】
2012032886.tif 000016
【図１２】
2012032886.tif 000017
【図１３】
2012032886.tif 000018
【図１４】
2012032886.tif 000019
【国際調査報告】
2012032886.tif 000020
2012032886.tif 000021